(57)【特許請求の範囲】
【請求項１】
真空チャンバ（１１０）内で蒸発した材料を基板（１２１）上に堆積するための線形の分配管（１０６）であって、
第１の方向（１３６）に沿って延在している分配管ハウジング（１１６）であって、前記第１の方向が前記線形の分配管（１０６）の線形の延在をもたらし、第１のハウジング材料を含む、前記分配管ハウジング（１１６）と、
前記分配管ハウジング（１１６）内の複数の開口部であって、前記複数の開口部が前記線形の分配管の前記線形の延在に沿って分配されている、複数の開口部と、
前記線形の分配管（１０６）のための複数のノズル（７１２）であって、前記複数のノズル（７１２）が前記真空チャンバ（１１０）内で前記蒸発した材料を導くように構成されており、前記複数のノズルが、前記第１のハウジング材料よりも大きな熱伝導率を有する第１のノズル材料を含む、複数のノズル（７１２）とを備え、前記複数のノズルがＴａ、Ｔｉ、Ｎｂ、ＤＬＣ、及び黒鉛のうちの少なくとも１つを含む、線形の分配管（１０６）。
【請求項２】
前記ノズル（７１２）が、前記蒸発した材料を前記ノズルを通して導くための通路（２０３）と、少なくとも前記通路（２０３）の表面上にあるコーティングとを含む、請求項１に記載の線形の分配管。
【請求項３】
前記通路（２０３）の前記表面が、前記第１のノズル材料又は蒸発した有機材料に対して化学的に不活性な第２のノズル材料（２０８）でコーティングされている、請求項２に記載の線形の分配管。
【請求項４】
前記ノズル（７１２）の前記通路（２０３）が、Ｔａ、Ｎｂ、Ｔｉ、ＤＬＣ、及び黒鉛のうちの少なくとも１つでコーティングされている、請求項３に記載の線形の分配管。  
【請求項５】
前記第１のノズル材料の熱伝導率が２１Ｗ／ｍＫよりも大きい、請求項１に記載の線形の分配管。
【請求項６】
前記ノズル（７１２）が、前記分配管（１０６）に対して螺合可能であるように構成された、請求項１から５のいずれか一項に記載の線形の分配管。
【請求項７】
前記ノズル（７１２）が、前記蒸発した材料を前記ノズルを通して導くための通路（２０３）を備え、かつ前記ノズル（７１２）がｃｏｓｎのようなプロファイルを有するプルームを形成するように設計され、蒸発した材料のプルームを形成する前記通路の形状を提供しており、ここで、ｎ≧４である、請求項１から６のいずれか一項に記載の線形の分配管。
【請求項８】
真空チャンバ（１１０）内で材料を基板（１２１）上に堆積するための材料堆積アレンジメント（１００）であって、
蒸発させられ前記基板（１２１）上に堆積される前記材料を提供するための蒸発源（１０２）と、
分配管（１０６）であって、前記蒸発した材料を前記分配管（１０６）に提供する前記蒸発源（１０２）と流体連通している分配管（１０６）と、
前記真空チャンバ（１１０）内で、蒸発した前記材料を導くためのノズル（７１２）であって、前記ノズル（７１２）は２１Ｗ／ｍＫよりも大きい熱伝導率を有する第１のノズル材料を含み、前記ノズル（７１２）は、Ｔａ、Ｔｉ、Ｎｂ、ＤＬＣ、及び黒鉛のうちの少なくとも１つを含む、ノズル（７１２）と
を備えている材料堆積アレンジメント（１００）。
【請求項９】
前記蒸発源（１０２）が、有機材料を供給するための蒸発源である、請求項８に記載の材料堆積アレンジメント。
【請求項１０】
前記分配管（１０６）を、堆積される前記材料の蒸発温度以上に加熱するための加熱要素（７２６）をさらに備えている、請求項８又は９に記載の材料堆積アレンジメント。
【請求項１１】
前記分配管（１０６）が、請求項１から７のいずれか一項に記載の線形の分配管であり、前記ノズル（７１２）が、前記線形の分配管の複数のノズルのうちのノズルである、請求項８から１０の何れか一項に記載の材料堆積アレンジメント。
【請求項１２】
真空堆積装置であって、
真空チャンバ（１１０）と、
請求項８から１１のいずれか一項に記載の材料堆積アレンジメント（１００）と
を備えている真空堆積装置。
【請求項１３】
前記蒸発源（１０２）が、有機材料のための蒸発るつぼであり、前記材料堆積アレンジメント（１００）の前記分配管（１０６）が、前記蒸発るつぼからの蒸発した材料を前記真空チャンバ（１１０）の中へと導くために、前記蒸発るつぼに接続されており、
前記ノズル（７１２）が、蒸発した有機材料に対して化学的に不活性な第２のノズル材料（２０８）を含み、且つ
前記材料堆積アレンジメント（１００）の前記ノズル（７１２）が、前記真空チャンバ（１１０）内で、前記蒸発した材料を基板（１２１）に向けて方向付けるように配置されている、請求項１２に記載の装置。
【請求項１４】
真空堆積装置のための材料堆積アレンジメント（１００）を設けるための方法であって、
基板（１２１）上に堆積される材料を蒸発させるための蒸発源（１０２）を設けることと、
前記蒸発源（１０２）と分配管（１０６）及びノズル（７１２）との間の流体連通を設けるように、前記分配管（１０６）及び前記ノズル（７１２）を前記蒸発源（１０２）に流体接続することであって、前記ノズル（７１２）が、２１Ｗ／ｍＫよりも大きい熱伝導率値を有する第１のノズル材料を含み、前記ノズル（７１２）がＴａ、Ｔｉ、Ｎｂ、ＤＬＣ、及び黒鉛のうちの少なくとも１つを含む、流体接続することと
を含む方法。
【請求項１５】
前記分配管（１０６）を、前記基板（１２１）上に堆積される前記材料の蒸発温度以上に加熱することをさらに含む、請求項１４に記載の方法。
【発明の詳細な説明】
【技術分野】
【０００１】
本発明の実施形態は、材料堆積アレンジメント、材料堆積アレンジメントを有する堆積装置、及び材料堆積アレンジメントのための分配管を設ける方法に関する。本発明の実施形態は、具体的には、真空堆積チャンバのための材料堆積アレンジメント、材料堆積アレンジメントを有する真空堆積装置、及び真空堆積チャンバ内で材料堆積アレンジメントのための分配管を設ける方法に関し、特に、材料源、堆積装置、及び蒸発プロセスのための方法に関する。  
【背景技術】
【０００２】
有機蒸発器は、有機発光ダイオード（ＯＬＥＤ）の生産のためのツールである。ＯＬＥＤは、特殊な発光ダイオードであり、その中で発光層がある有機化合物の薄膜を含んでいる。有機発光ダイオード（ＯＬＥＤ）は、情報を表示するためのテレビ画面、コンピュータモニタ、携帯電話、その他の携帯型デバイスなどの製造時に使用される。ＯＬＥＤは、一般的な空間照明にも使用することができる。ＯＬＥＤピクセルが直接発光し、バックライトを必要としないので、ＯＬＥＤディスプレイで可能な色、輝度、及び視野角の範囲は、従来のＬＣＤディスプレイの範囲よりも広い。したがって、ＯＬＥＤディスプレイのエネルギー消費は、従来のＬＣＤディスプレイのエネルギー消費よりもかなり少ない。さらに、ＯＬＥＤをフレキシブル基板上で製造することができるので、さらに用途が広がる。例えば、典型的なＯＬＥＤディスプレイは、個々に通電可能なピクセルを有するマトリクスディスプレイパネルを形成するように、すべて基板上に堆積される、２つの電極の間に配置された有機材料の層を含み得る。ＯＬＥＤは、一般的に、２つのガラスパネルの間に置かれ、ＯＬＥＤをその中に封入するためにガラスパネルの端部が密閉される。  
【０００３】
このようなディスプレイデバイスを製造する際には、多くの課題に遭遇することになる。ＯＬＥＤディスプレイ又はＯＬＥＤ照明アプリケーションは、例えば、真空の中で蒸発する、幾つかの有機材料のスタックを含む。有機材料は、シャドーマスクを通して、続けて堆積される。ＯＬＥＤスタックを効率良く製造するためには、混合層／ドープ層が生じるように、２つ以上の材料（例えば、ホスト及びドーパント）を共堆積又は共蒸発することが望ましい。さらに、非常に繊細な有機材料の蒸発には、幾つかの条件があることを考慮しなければならない。  
【０００４】
材料を基板上に堆積するために、材料は蒸発するまで加熱される。さらに、材料を基板に導く管も加熱される場合がある。それは、例えば、蒸発した材料を制御された温度に保つため、或いは、管の中で蒸発した材料が凝縮することを避けるためである。管のための加熱要素は、管を囲むようにして設けられる場合があり、幾つかのシステムでは、蒸発器の加熱されたデバイスは、熱損失を最小限にするために熱シールドがさらに設けられる。しかしながら、このような管の形状は複雑であるため、加熱要素及び熱シールドによって分配管の均一な温度が確実に実現するわけではない。    
【０００５】
以上を考慮して、本明細書に記載された実施形態の目的は、材料堆積アレンジメント、材料堆積アレンジメントを有する堆積装置、線形の分配管、及び当技術分野の問題の少なくとも幾つかを克服する材料堆積アレンジメントのための分配管を設ける方法を提供することである。  
【発明の概要】
【０００６】
上記を踏まえ、独立請求項に係る、材料堆積アレンジメント、堆積装置、分配管のためのノズル、及び材料堆積アレンジメントのための分配管を設ける方法が提供される。本発明のさらなる態様、利点、及び特徴は、従属請求項、明細書、及び添付の図面から明らかである。
【０００７】
一実施形態によれば、真空チャンバ内で、蒸発した材料を基板上に堆積するための線形の分配管が提供される。線形の分配管は、第１の方向に沿って延在する分配管ハウジングを含んでおり、第１の方向は、線形の分配管の線形の延在をもたらす。分配管ハウジングは、第１のハウジング材料を含む。線形の分配管は、分配管ハウジング内に線形の分配管の線形の延在に沿って分配されている複数の開口部をさらに含む。さらに、線形の分配管は、蒸発した材料を真空チャンバ内で導くように構成されている、線形の分配管のための複数のノズルを含む。ノズルは、第１のハウジング材料よりも大きな熱伝導率及び／又は２１Ｗ／ｍＫよりも大きい熱伝導率を有する第１のノズル材料を含む。
【０００８】
別の実施形態によれば、真空チャンバ内で材料を基板上に堆積するための材料堆積アレンジメントが提供される。材料堆積アレンジメントは、蒸発源と、蒸発源と流体連通している分配管とを含む。材料堆積アレンジメントは、真空チャンバ内で、蒸発した材料を導くためのノズルをさらに含む。ノズルは、２１Ｗ／ｍＫよりも大きい熱伝導率を有する第１のノズル材料を含む。
【０００９】
さらなる実施形態によれば、真空堆積装置が提供される。真空堆積装置は、真空チャンバと、本明細書に記載された実施形態に係る材料堆積アレンジメントとを含む。
【００１０】
さらなる実施形態によれば、真空堆積装置のための材料堆積アレンジメントを設ける方法が提供される。この方法は、基板上に堆積される材料を蒸発させるための蒸発源を設けることと、蒸発源と分配管及びノズルとの間の流体連通を設けるように、分配管及びノズルを蒸発源に流体接続することとを含む。ノズルは、２１Ｗ／ｍＫよりも大きい熱伝導率値を有する第１のノズル材料を含む。  
【００１１】
実施形態は、開示された方法を実行する装置も対象としており、記載された各方法を実行する装置部分を含む。これらの方法は、ハードウェア構成要素、適切なソフトウェアによってプログラミングされたコンピュータ、これらの２つの任意の組合せ、或いは任意の他の方法で実行され得る。さらに、本発明に係る実施形態は、記載された装置を操作する方法も対象とする。
【図面の簡単な説明】
【００１２】
本発明の上記の特徴を詳細に理解することができるよう、実施形態を参照することによって、上記で簡潔に概説した本発明のより詳細な説明を得ることができる。添付の図面は本発明の実施形態に関し、これらの図面について以下に説明する。  
【図１ａ−１ｃ】本明細書に記載された実施形態に係る材料堆積アレンジメントの概略図を示す。
【図２ａ−２ｄ】本明細書に記載された実施形態に係る分配管のためのノズルの概略図を示す。
【図３ａ−３ｂ】本明細書に記載された実施形態に係る材料堆積アレンジメントのための分配管の概略断面図を示す。
【図４】本明細書に記載された実施形態に係る材料堆積アレンジメントを有する堆積装置の概略図を示す。
【図５】本明細書に記載された実施形態に係る材料堆積アレンジメントのための分配管を設ける方法のフロー図を示す。
【発明を実施するための形態】
【００１３】
これより、様々な実施形態を詳細に参照し、それらの１つ又は複数の実施例が図面に示される。図面についての以下の説明の中で、同じ参照番号は、同じ構成要素を表している。概括的に、個々の実施形態に関する相違のみが説明される。各例は単なる説明として提示されており、限定を意味するものではない。さらに、一実施形態の一部として図示且つ説明される特徴は、他の実施形態で用いてもよく、或いは他の実施形態と併用してもよい。それにより、さらに別の実施形態が生み出される。本記載には、このような修正例及び変形例が含まれることが意図されている。    
【００１４】
本明細書で使用される「流体連通」という用語は、流体連通している２つの要素が、接続を介して流体を交換することができ、それにより、２つの要素間の流体の流れが可能となることと理解してもよい。一実施例では、流体連通している要素とは、流体が流通し得る中空構造体を含み得る。幾つかの実施形態によると、流体連通している要素のうちの少なくとも１つは、管のような要素であり得る。
【００１５】
さらに、以下の記載では、材料源は、基板上に堆積される材料を供給する源であると理解してもよい。具体的には、材料源は、真空堆積チャンバ又は装置のような真空チャンバ内で、堆積される材料を基板上に供給するように構成され得る。幾つかの実施形態によると、材料源は、堆積される材料を蒸発させるように構成されることにより、堆積される材料を基板上に供給することができる。例えば、材料源は、基板上に堆積される材料を蒸発させる蒸発器又はるつぼのような蒸発源を含み得、具体的には、蒸発した材料を基板に向かう方向又は材料源の分配管の中へと放出する。幾つかの実施形態では、蒸発器は、例えば、蒸発した材料を分配するために、分配管と流体連通し得る。  
【００１６】
本明細書に記載された幾つかの実施形態によると、分配管は、蒸発した材料を導き且つ分配する管であると理解してもよい。具体的には、分配管は、蒸発器からの蒸発した材料を分配管内の排気口又は開口部に導くことができる。線形の分配管とは、第１の方向、特に長手方向に延在する管であると理解してもよい。幾つかの実施形態では、線形の分配管は、シリンダの形状を有する管を含んでおり、シリンダは、円形の底部形状又は任意の他の適切な底部形状をもち得る。  
【００１７】
本明細書に記載されたノズルは、流体を導くデバイス、特に、流体の方向又は特徴（ノズルから出る流体の流量、速度、形状、及び／又は圧力）を制御するデバイスであると理解してもよい。本明細書に記載された幾つかの実施形態によると、ノズルは、蒸気（例えば、基板上に堆積される蒸発材料の蒸気）を導くか、又は方向付けるデバイスであり得る。ノズルは、流体を受け入れるための注入口、ノズルを通して流体を導くための開口部（例えば、ボア又は通路）、及び流体を放出するための排気口を有し得る。典型的に、ノズルの開口部又は通路は、ノズルを通して流れる流体の規定された方向又は特徴を達成するための、規定された形状を含み得る。幾つかの実施形態によると、ノズルは、分配管の一部であってもよく、又は蒸発した材料を供給する分配管に接続されてもよく、分配管からの蒸発した材料を受け入れることができる。      
【００１８】
図１ａから１ｃは、本明細書に記載された実施形態に係る材料堆積アレンジメント１００を示す。材料源は、図１ａで示されているように、分配管１０６と、蒸発器として蒸発源又はるつぼ１０４とを含み得る。分配管１０６は、るつぼ１０４によってもたらされる蒸発した材料を分配するために、るつぼと流体連通し得る。分配管は、例えば、加熱ユニット７１５を有する細長い立方体であり得る。蒸発るつぼは、加熱ユニット７２５で有機材料が蒸発されるリザーバであり得る。本明細書に記載された他の実施形態と組み合わせることができる典型的な実施形態によれば、分配管１０６は、線源を設ける。分配管及びるつぼは、以下でより詳しく説明される。本明細書に記載された幾つかの実施形態によると、材料堆積アレンジメント１００は、少なくとも１つの線に沿って配置されているノズルのような、蒸発した材料を基板に向けて放出する複数のノズルをさらに含む。
【００１９】
本明細書に記載された実施形態によると、真空チャンバ内で、蒸発した材料を基板上に堆積するための線形の分配管が提供される。分配管は、第１の方向に沿って延在する分配管ハウジングを含んでおり、第１の方向は、線形の分配管の線形の延在をもたらす。通常、分配管ハウジングは、第１のハウジング材料を含む線形の分配管は、分配管ハウジング内に複数の開口部をさらに含んでおり、複数の開口部は、線形の分配管の線形の延在に沿って分配される。本明細書に記載された実施形態によると、線形の分配管は、線形の分配管用の複数のノズルをさらに含む。複数のノズルは、真空チャンバ内で蒸発材料を導くように構成されており、第１のハウジング材料よりも大きな熱伝導率及び／又は２１Ｗ／ｍＫよりも大きい熱伝導率を有する第１のノズル材料を含む。  
【００２０】
分配管の一実施例では、ノズルは、Ｃｕ、Ｔａ、Ｎｂ、ＤＬＣ、及び黒鉛の少なくとも１つの材料を含む。幾つかの実施形態によると、ノズルは、蒸発した有機材料に対して化学的に不活性な材料を含む。幾つかの実施形態では、蒸発した材料に対して化学的に不活性な材料は、第２のノズル材料として表され得る。具体的には、ノズルの開口部又は通路の内側のような、蒸発プロセス中に蒸発した有機材料と接触するノズルの表面は、蒸発した有機材料に対して化学的に不活性な材料（具体的には、２１Ｗ／ｍＫよりも高い熱伝導率値を有する）でコーティングされ得る。一実施例では、ノズルは、銅を含んでおり、ノズルの開口部又は通路の内側に材料のコーティング（例えば、Ｔａ、Ｎｂ、Ｃｕ、Ｔａ、Ｎｂ、ＤＬＣ、ステンレス鋼、石英ガラス、及び黒鉛）をもたらす。
【００２１】
周知のシステムでは、分配管は、蒸発した材料を一定及び規定の温度に保つように加熱される。しかしながら、具体的には、ノズルは、加熱することができず、又は、ヒータで完全に覆うことができないため、分配管ハウジングと堆積チャンバとの間のインターフェースであるノズルは、温度偏差の対象となる。ノズルは、蒸発した材料の流路において温度低下をもたらすとみなしてもよい。ノズルによってもたらされる温度低下は、蒸発した材料の均一性及びコーティングされた基板の品質に対して悪影響を及ぼし得る。    
【００２２】
本明細書に記載された幾つかの実施形態によると、分配管ハウジングよりも大きな熱伝導率及び／又は２１Ｗ／ｍＫよりも大きい熱伝導率を有する材料を含むノズルは、少なくともノズルが積極的に加熱されない領域における熱損失を補うことができる。ノズルの熱伝導率の改善は、蒸発プロセスにおけるそれぞれの温度状況にノズルの温度を適合させることに役立つ。例えば、本明細書に記載された実施形態に係るノズルの温度は、蒸発プロセスの温度領域における変化に対してより迅速に反応できる場合がある。一実施例では、分配管を積極的に加熱することにより、ノズルは、蒸発した材料の蒸発温度を維持するのに役立つ温度まで加熱され得る。ノズルは、分配管に接続されているか、又はその一部となっている。熱伝導率の上昇により、分配管の温度は、より簡単且つ迅速にノズルに導かれて適用される。別の実施例では、蒸発した材料の過剰加熱を回避するべき場合、分配管からノズルへの温度入力を停止すれば、ノズルの温度はより迅速に低下する。ノズルが冷却され得、蒸発した材料の適切な温度が確保される。  
【００２３】
図２ａから図２ｄは、本明細書に記載された実施形態に係るノズルの実施形態を示す。本明細書に記載された実施形態によると、ノズルは、蒸発した材料をコーティングされる基板へと導く方向付け部を含み得る。例えば、ノズルから放出される蒸気のプルームの規定された形状及び強度を形成するように、方向付け部は形成及び設計され得る。図２ａから２ｄは、本明細書に記載された実施形態に係るノズル２００を示す。ノズル２００は、方向付け部２０１と、図１ａから図１ｃに関連して説明された分配管のような分配管にノズルを接続するための接続部２０２とを含む。ノズル２００は、蒸発した材料をノズルを通して導くための開口部２０３（又は通路、又はボア）を含む。幾つかの実施形態によると、ノズルの開口部（特に通路の内側）は、ノズルの方向付け部として表され得る。  
【００２４】
図２ａは、第１のノズル材料２０６及び第２のノズル材料２０８を含むノズルを示す。例えば、第１のノズル材料２０６は、２１Ｗ／ｍＫよりも大きい熱伝導率値を有する材料（例えば、銅）であり得る。第２のノズル材料２０８は、開口部又は通路の内側に設けられてもよく、幾つかの実施形態では、蒸発した有機材料に対して化学的に不活性であり得る。例えば、第２のノズル材料は、Ｔａ、Ｎｂ、Ｔｉ、ＤＬＣ、ステンレス鋼、石英ガラス、及び黒鉛から選択され得る。図２ａで示す実施形態で見ることができるように、第２のノズル材料２０８は、通路の内側の薄いコーティングとして設けられ得る。
【００２５】
図２ｂは、第１のノズル材料２０６及び第２のノズル材料２０８を有するノズルの実施形態を示す。図２ｂで示されたノズルの実施例は、第１のノズル材料２０６から作られた第１の部分（例えば、２１Ｗ／ｍＫよりも大きい熱伝導率値を有する）、及び蒸発した有機材料に対して不活性であり得る第２のノズル材料２０８から作られた第２の部分から構成される。一実施例では、第１及び第２のノズル材料は、図２ａに関連して説明されたように選択され得る。図２ｂで見ることができるように、第２のノズル材料２０８は、ノズルの一部であり、特に内側の通路面のコーティングだけではない。  
【００２６】
幾つかの実施形態によると、第２のノズル材料の厚さは、典型的に、数ナノメートルから数マイクロメートルの範囲内であり得る。一実施例では、ノズル開口部における第２のノズル材料の厚さは、典型的に、約１０ｎｍから約５０ｎｍの間であってもよく、より典型的には、約１００ｎｍから約５０μｍの間であってもよく、さらにより典型的には、約５００ｎｍから約５０μｍの間であってもよい。一実施例では、第２のノズル材料の厚さは、約１０μｍであり得る。
【００２７】
図２ｃは、ノズル２００の実施形態を示しており、ノズル２００は、ノズルが接続され得る分配管の熱伝導率よりも大きな熱伝導率、又は、２１Ｗ／ｍＫより高い熱伝導率を有する第１のノズル材料から作られる。幾つかの実施形態では、第１のノズル材料２０６は、蒸発した有機材料に対して不活性である。一実施例では、第１のノズル材料は、Ｔａ、Ｎｂ、Ｔｉ、ＤＬＣ、又は黒鉛から選択され得る。
【００２８】
図２ｄは、本明細書に記載された実施形態に係る図、２ａに示すノズルの斜視図である。開口部２０３において第２のノズル材料２０８を確認することができるが、ノズル２００の外側には第１のノズル材料２０６が示されている。
【００２９】
本明細書に記載された幾つかの実施形態によると、ノズルの開口部又は通路を通して、蒸発した材料が、蒸発プロセス中に流れ、コーティングされる基板に達するが、ノズルの開口部又は通路は、典型的に、約１ｍｍから約１０ｍｍ、より典型的には、約１ｍｍから約６ｍｍ、さらにより典型的には、２ｍｍから約５ｍｍのサイズを有し得る。幾つかの実施形態によると、通路又は開口部の寸法とは、断面の最小寸法、例えば、通路又は開口部の直径のことを指す場合がある。一実施形態では、開口部又は通路の寸法は、ノズルの排気口で測定され得る。本明細書に記載された幾つかの実施形態によると、開口部又は通路は、許容範囲Ｈ７内で製造され得る（例えば、約１０μｍから約１８μｍの許容値内で製造される）。      
【００３０】
本明細書に記載された幾つかの実施形態によると、真空堆積チャンバ内で材料を基板上に堆積するための材料堆積アレンジメントのためのノズルは、ノズルを繰り返し分配管に接続して分配管から外すためのねじ山を有し得る。幾つかの実施形態では、分配管に接続するためのねじ山を有するノズルは、内ねじ山及び／又は外ねじ山を有し得る。この内ねじ山及び／又は外ねじ山は、具体的には、分配管又はノズルを破壊せずにノズルを分配管に繰り返し接続可能にするためにある。例えば、規定された特徴を有する第１のノズルは、第１のプロセスのために分配管に接続され得る。第１のプロセスが完了した後に第１のノズルを外してもよく、第２のプロセスのために第２のノズルが分配管に接続され得る。第１のプロセスを再度実行する場合、第２のノズルを分配管から外してもよく、第１のプロセスを実行するために第１のノズルを再度分配管に接続してもよい。幾つかの実施形態によると、分配管もノズルを分配管に交換可能に接続するためのねじ山を備え得る。これは、例えば、分配管のねじ山をノズルのねじ山に適合させることにより実現される。
【００３１】
本明細書に記載された他の実施形態と組み合わせ得る幾つかの実施形態によると、本明細書に記載されたノズルは、ｃｏｓｎのような形状のプロファイルを有するプルームを形成するように設計され得る。ここで、ｎは具体的には４より大きい。一実施例では、ノズルは、ｃｏｓ６のような形状のプロファイルを有するプルームを形成するように設計される。蒸発した材料のｃｏｓ６形状のプルームを実現するノズルは、狭い形状のプルームが望まれる場合に役立ち得る。例えば、開口部が小さい（約５０μｍ以下（約２０μｍなど）のサイズを有する開口部など）基板用マスクを含む堆積プロセスは、狭いｃｏｓ６形状のプルームから恩恵を受ける場合があり、蒸発した材料のプルームは、マスクの上で広がらず、マスクの開口部を通過するため、材料の利用度が増加し得る。幾つかの実施形態によると、ノズルは、ノズルの長さとノズルの通路の直径との関係が、規定された関係に留まるように、例えば、２：１以上の比率を有するように、設計され得る。追加の又は代替の実施形態によれば、所望のプルーム形状を達成するために、ノズルの通路は、ステップ、傾斜、１つ又は複数のコリメータ構造、及び／又は圧力段階を含み得る。  
【００３２】
図３ａ及び３ｂは、本明細書に記載された実施形態に係る、材料堆積アレンジメントのための分配管１０６の実施形態の断面図を示す。幾つかの実施形態によると、分配管１０６は、第１の分配管ハウジング材料を含むか、又はそれから作られた分配管ハウジング１１６を含む。図３ａ及び図３ｂで見ることができるように、分配管は、第１の方向１３６に沿って延在する線形の分配管である。    
【００３３】
図３ａは、分配管ハウジングにおいて第１の方向に沿って配置された複数の開口部１０７を有する分配管を示す。幾つかの実施形態では、分配管における開口部の壁１０９は、本明細書に記載された実施形態に係るノズルであると理解してもよい。例えば、開口部１０７の壁１０９は、（例えば、第１のノズル材料によってコーティングされることにより）第１のノズル材料を含み得、第１のノズル材料の熱伝導率値は、第１の分配管の材料の熱伝導率よりも大きいか、又は２１Ｗ／ｍＫよりも大きい。一実施例では、開口部１０７の壁１０９は、銅で覆われ得る。一実施形態では、壁は、銅及び第２のノズル材料（蒸発した有機材料に対して化学的に不活性な材料など）で覆われてもよい。    
【００３４】
図３ｂは、本明細書に記載された実施形態に係る、分配管の一実施形態を示す。図３ｂで示す分配管１０６は、延在する壁１０８が設けられた開口部１０７を含む。典型的には、開口部１０７の延在する壁１０８は、分配管ハウジング１１６の第１の方向１３６に対して実質的に垂直な方向で延在する。幾つかの実施形態によると、開口部１０７の壁１０８は、分配管から任意の適切な角度で延在し得る。幾つかの実施形態では、分配管ハウジング１１６の開口部１０７の壁１０８は、分配管１０６のノズルを設け得る。例えば、壁１０８は、第１のノズル材料を含んでもよく、又はそれから作られてもよい。幾つかの実施形態によると、壁１０８は、第１のノズル材料及び／又は第２のノズル材料（蒸発した有機材料に対して化学的に不活性な材料など）で内側がコーティングされ得る。  
【００３５】
幾つかの実施形態では、壁１０８は、ノズル（図２ａから２ｄで例示されているノズルなど）を分配管ハウジング１１６に装着するための装着補助を設ける。幾つかの実施形態によると、壁１０８は、ノズルを分配管ハウジング１１６に螺合するためのねじ山を設け得る。
【００３６】
図１ａから１ｃに戻ると、  図１ａから１ｃは、本明細書の実施形態に係る、上述の分配管及び上述のノズルが使用され得る材料堆積アレンジメントを示す。本明細書に記載された他の実施形態と組み合わせ得る幾つかの実施形態によると、分配管のノズルは、蒸発した材料を分配管の長さ方向とは異なる方向（分配管の長さ方向と実質的に垂直な方向など）に放出するように適合され得る。幾つかの実施形態によると、ノズルは、水平方向に対して＋／−２０°の主要蒸発方向を有するよう配置される。幾つかの特定の実施形態によれば、蒸発方向は、僅かに上方に（例えば、３°から７°上方になど、水平から１５°までの範囲で上方に）配向されてもよい。同様に、蒸発方向に対して実質的に垂直となるように基板を僅かに傾斜させてもよい。これにより、望ましくない粒子発生を低減させることができる。しかしながら、本明細書に記載された実施形態に係る、ノズル及び材料堆積アレンジメントは、水平に配向された基板上に材料を堆積するよう構成された堆積装置においても使用され得る。  
【００３７】
一実施例では、分配管１０６の長さは、少なくとも、堆積装置内の堆積される基板の高さに対応する。多くの場合に、分配管１０６の長さは、堆積される基板の高さよりも、少なくとも１０％又はさらに２０％長いことがあろう。これにより、基板の上端及び／又は基板の下端において均一な堆積がもたらされ得る。
【００３８】
本明細書に記載された他の実施形態と組み合わせ得る幾つかの実施形態によれば、分配管の長さは、１．３ｍ以上、例えば、２．５ｍ以上であり得る。一構成によれば、図１ａに示されるように、蒸発るつぼ１０４は、分配管１０６の下端に設けられる。有機材料は、蒸発るつぼ１０４の中で蒸発する。有機材料の蒸気は、分配管１０６の底部で分配管に入り、分配管の複数のノズルを通って、例えば、実質的に垂直な基板に向かって、実質的に側方に導かれる。
【００３９】
図１ｂは、分配管１０６が蒸発るつぼ１０４に接続されている状態の蒸発源の一部の拡大概略図を示す。蒸発るつぼ１０４と分配管１０６との間の接続を設けるように構成されたフランジユニット７０３が設けられる。例えば、蒸発るつぼと分配管は、例えば、材料源を動作させるためにフランジユニットにおいて分離及び接続又は組み立てすることができる別々のユニットとして設けられる。
【００４０】
分配管１０６は、内部空洞７１０を有する。分配管を加熱するように加熱ユニット７１５が設けられ得る。したがって、蒸発るつぼ１０４によって供給される有機材料の蒸気が分配管１０６の壁の内側部で凝縮しない温度まで分配管１０６を加熱することができる。    
【００４１】
例えば、分配管は、基板上に堆積される材料の蒸発温度より高い、典型的に、約１℃から約２０℃、より典型的には、約５℃から約２０℃、さらにより典型的には、約１０℃から約１５℃の温度に保たれ得る。２つ以上の熱シールド７１７が、分配管１０６の管周囲に設けられる。      
【００４２】
幾つかの実施形態によると、分配管ハウジングよりも高い熱伝導率又は２１Ｗ／ｍＫよりも高い熱伝導率を有する材料を含むノズルは、加熱された分配管ハウジングの温度をノズルに導き得る。ノズルと分配管ハウジングとの温度の均一性の向上は、本明細書に記載された実施形態に係る分配管を使用することにより実現することができる。材料堆積アレンジメントにおける均一性の向上により、蒸発した材料の均一性、並びに堆積された材料、コーティングされた基板、及び製品の品質が向上し得る。        
【００４３】
動作中、分配管１０６は、フランジユニット７０３において蒸発るつぼ１０４に接続され得る。蒸発るつぼ１０４は、蒸発される有機材料を受け入れ、且つ有機材料を蒸発させるように構成される。幾つかの実施形態によると、蒸発される有機材料は、ＩＴＯ、ＮＰＤ，Ａｌｑ３、キナクリドン、Ｍｇ／ＡＧ、スターバスト材料（ｓｔａｒｂｕｒｓｔ  ｍａｔｅｒｉａｌ）などのうちの少なくとも１つを含み得る。図１ｂは、蒸発るつぼ１０４のハウジングを通る断面図を示す。補充開口部が、例えば、蒸発るつぼの上部に設けられており、この補充開口部は、プラグ７２２、蓋、カバー、又は蒸発るつぼ１０４の筐体を閉じるための同種のものを使用して閉じることができる。    
【００４４】
外側加熱ユニット７２５が蒸発るつぼ１０４の筐体内に設けられる。外側加熱要素は、少なくとも蒸発るつぼ１０４の壁の一部に沿って延在し得る。本明細書に記載された他の実施形態と組み合わせ得る幾つかの実施形態によれば、１つ又は複数の中央加熱要素７２６を追加的に又は代替的に設けてもよい。図１ｂは、２つの中央加熱要素７２６を示す。幾つかの実装態様によれば、蒸発るつぼ１０４は、シールド７２７をさらに含み得る。
【００４５】
幾つかの実施形態によれば、図１ａ及び図１ｂに関連して例示されているように、蒸発るつぼ１０４は、分配管１０６の下側に設けられている。本明細書に記載された他の実施形態と組み合わせ得るさらなる実施形態によれば、蒸気導管７３２を、分配管の中央部分で、又は、分配管の下端と分配管の上端との間の別の位置で、分配管１０６に設けてもよい。図１ｃは、分配管１０６と、分配管の中央部分に設けられた蒸気導管７３２とを有する材料源の一例を示す。有機材料の蒸気は、蒸発るつぼ１０４の中で生成され、蒸気導管７３２を通って、分配管１０６の中央部分に導かれる。蒸気は、図２ａから２ｄに関連して説明されたノズルであり得る複数のノズル７１２を通って、分配管１０６から出る。本明細書に記載された他の実施形態と組み合わせ得るさらなる実施形態によれば、分配管１０６の長さに沿って種々の位置で２つ以上の蒸気導管７３２が設けられ得る。蒸気導管７３２は、１つの蒸発るつぼ１０４に接続されてもよく、又は幾つかの蒸発るつぼ１０４に接続されてもよい。例えば、各蒸気導管７３２は、対応する蒸発るつぼ１０４を有し得る。代替的には、蒸発るつぼ１０４は、分配管１０６に接続されている２つ以上の蒸気導管７３２と流体連通し得る。
【００４６】
本明細書に記載されているように、分配管は、中空シリンダであり得る。シリンダという用語は、円形の底部形状、円形の上部形状、及び上部の円と下部の小さな円とを連結する湾曲した表面領域又は外郭を有するものとして一般に認められていると理解することができる。本明細書に記載された他の実施形態と組み合わせ得る、さらに追加的又は代替的な実施形態によれば、シリンダという用語は、数学的意味において、任意の底部形状、一致する上部形状、及び上部形状と下部形状とを連結する湾曲した表面領域又は外郭を有するとさらに理解することができる。したがって、シリンダは、必ずしも円形断面を有する必要がない。代わりに、ベース面及び上部面は、円形と異なる形状を有し得る。  
【００４７】
図４は、本明細書に記載された実施形態に係る、材料堆積アレンジメント又はノズルが使用され得る堆積装置３００を示す。堆積装置３００は、真空チャンバ１１０の中のある位置における材料源１００を含む。本明細書に記載された他の実施形態と組み合わせ得る幾つかの実施形態によれば、材料源は、並進運動及び軸周囲の回転のために構成される。材料源１００は、１つ又は複数の蒸発るつぼ１０４と、１つ又は複数の分配管１０６とを有する。２つの蒸発るつぼと２つの分配管が図４で示されている。分配管１０６は、支持体１０２によって支持される。さらに、幾つかの実施形態によれば、蒸発るつぼ１０４を支持体１０２によって支持してもよい。２つの基板１２１が、真空チャンバ１１０内に設けられる。典型的には、基板上の層堆積のマスキングのためのマスク１３２は、基板と材料源１００との間に設けてもよい。有機材料は、分配管１０６から蒸発する。幾つかの実施形態によると、この材料堆積アレンジメントは、図１ａから１ｃに示す材料堆積アレンジメントであり得る。  
【００４８】
本明細書に記載された実施形態によれば、基板は、実質的に垂直位置において有機材料でコーティングされる。図４に示された図は、材料源１００を含む装置の上面図である。典型的には、分配管は、線形の蒸気分配シャワーヘッドである。幾つかの実施形態では、分配管は、実質的に垂直に延在する線源を設ける。本明細書に記載された他の実施形態と組み合わせ得る、本明細書に記載された実施形態によれば、実質的に垂直とは、特に基板の配向に対して言及する場合、垂直方向から２０度以下（例えば、１０度以下）の偏差を許容すると理解されたい。例えば、垂直配向から幾らか偏差を有する基板支持体がより安定した基板位置をもたらす場合があるので、このような偏差を設けてもよい。しかし、有機材料の堆積中の基板配向は、実質的に垂直であると見なされ、水平な基板配向とは異なると見なされる。これにより、基板の表面は、一方の基板寸法に対応する１つの方向に延びる線源、及び他方の基板寸法に対応する他方の方向に沿った並進運動によって通常コーティングされる。他の実施形態によれば、堆積装置は、実質的に水平配向された基板上に材料を堆積するための堆積装置であり得る。例えば、堆積装置の基板コーティングは、上方向又は下方向で実行され得る。  
【００４９】
図４は、真空チャンバ１１０内で有機材料を堆積するための堆積装置３００の実施形態を示す。材料源１００は、例えば、真空チャンバ１１０内でトラック（例えば、ループ状トラック又は線形ガイド３２０など）上に設けられる。トラック又は線形ガイド３２０は、材料源１００の並進運動のために構成される。本明細書に記載された他の実施形態と組み合わせ得る異なる実施形態によれば、並進運動のためのドライブが、真空チャンバ１１０又はその組み合わせの中で、トラック又は線形ガイド３２０において、材料源１００において設けられ得る。図４は、例えば、ゲートバルブなどのバルブ２０５を示す。バルブ２０５は、隣接する真空チャンバ（図４で図示せず）に対する真空密封を可能にする。バルブは、真空チャンバ１１０の中への又は真空チャンバ１１０の外への基板１２１又はマスク１３２の搬送のために開放され得る。
【００５０】
本明細書に記載された他の実施形態と組み合わせ得る幾つかの実施形態によれば、保守真空チャンバ２１０などのさらなる真空チャンバが、真空チャンバ１１０に隣接するように設けられる。幾つかの実施形態によれば、真空チャンバ１１０及び保守真空チャンバ２１０は、バルブ２０７で接続される。バルブ２０７は、真空チャンバ１１０と保守真空チャンバ２１０との間の真空密封を開閉するように構成される。材料源１００は、バルブ２０７が開放状態にある間、保守真空チャンバ２１０に移送することができる。その後、バルブは、真空チャンバ１１０と保守真空チャンバ２１０との間に真空密封を設けるよう閉じることができる。バルブ２０７が閉じられた場合、真空チャンバ１１０内の真空を破壊せずに、材料源１００の保守のために保守真空チャンバ２１０を換気且つ開放することができる。
【００５１】
図４で示す実施形態では、２つの基板１２１が、真空チャンバ１１０内のそれぞれの搬送トラック上で支持されている。さらに、その上にマスク１３２を設けるための２つのトラックが設けられる。基板１２１のコーティングは、それぞれのマスク１３２によってマスキングすることができる。典型的な実施形態によれば、マスク１３２、すなわち、第１の基板１２１に対応する第１のマスク１３２と、第２の基板１２１に対応する第２のマスク１３２とは、マスクフレーム１３１内に設けられ、それにより、マスク１３２が所定位置に保持される。
【００５２】
本明細書に記載の他の実施形態と組み合わせ得る幾つかの実施形態によれば、基板１２１は、位置合わせユニット１１２に接続された基板支持体１２６によって支持され得る。位置合わせユニット１１２は、マスク１３２に対する基板１２１の位置を調整することができる。図４は、基板支持体１２６が位置合わせユニット１１２に接続されている実施形態を示す。したがって、有機材料の堆積中に基板とマスクとの間の適切な位置合わせを行うため、基板がマスク１３２に対して移動させられる。本明細書に記載された他の実施形態と組み合わせ得るさらなる実施形態によれば、代替的に又は追加的に、マスク１３２及び／又はマスク１３２を保持するマスクフレーム１３１は、位置合わせユニット１１２に接続され得る。幾つかの実施形態によれば、マスクを基板１２１に対して位置付けてもよく、又は、マスク１３２及び基板１２１の両方を互いに対して位置付けてもよい。基板１２１とマスク１３２との間の互いに対する位置を調整するように構成された位置合わせユニット１１２は、堆積プロセス中のマスキングの適切な位置合わせを可能にし、高品質なＬＥＤディスプレイ製造又はＯＬＥＤディスプレイ製造にとって有益である。
【００５３】
図４に示されるように、線形ガイド３２０は、材料源１００の並進運動の方向を設ける。材料源１００の両側に、マスク１３２が設けられる。マスク１３２は、並進運動の方向に対して実質的に平行に延在し得る。さらに、材料源１００の両側の基板１２１も並進運動の方向に実質的に平行に延在し得る。典型的な実施形態によれば、基板１２１を、バルブ２０５を介して、真空チャンバ１１０の中へ及び真空チャンバ１１０の外へ移動させることができる。堆積装置３００は、各基板１２１の搬送用の対応する搬送トラックを含み得る。例えば、搬送トラックは、図４に示す基板位置に対して平行に、真空チャンバ１１０の中と外へ延在し得る。
【００５４】
典型的に、マスクフレーム１３１及びマスク１３２を支持するようにさらなるトラックが設けられる。したがって、本明細書に記載された他の実施形態と組み合わせ得る幾つかの実施形態は、真空チャンバ１１０内に４つのトラックを含み得る。例えばマスク１３２の洗浄のためにマスクのうちの１つをチャンバから外に移動させるよう、マスクフレーム１３１及びマスクを基板１２１の搬送トラック上に移動させることができる。次いで、それぞれのマスクフレームは、基板用の搬送トラック上で真空チャンバ１１０を出入りすることができる。真空チャンバ１１０の内外へマスクフレーム１３１用に別々の搬送トラックを設けることは可能であるとしても、２つのトラック（すなわち、基板用搬送トラック）のみが真空チャンバ１１０の内外へ延在し、さらに、適切なアクチュエータ又はロボットによって、マスクフレーム１３１を基板用搬送トラックのそれぞれ１つの上に移動させることができる場合、堆積装置の所有コストを減らすことができる。
【００５５】
図４は、材料源１００の例示的な実施形態を示す。材料源１００は、支持体１０２を含む。支持体１０２は、線形ガイド３２０に沿った並進運動のために構成される。支持体１０２は、２つの蒸発るつぼ１０４、及び蒸発るつぼ１０４の上に設けられた２つの分配管１０６を支持する。蒸発るつぼ内で生成された蒸気は、上に向かって移動し、分配管の１つ又は複数の排出口から排出され得る。  
【００５６】
本明細書に記載された実施形態によれば、材料源は、１つ又は複数の蒸発るつぼ、及び１つ又は複数の分配管を含み、１つ又は複数の分配管のそれぞれ１つは、１つ又は複数の蒸発るつぼのそれぞれ１つと流体連通し得る。ＯＬＥＤデバイス製造に対する様々な応用例には、２つ以上の有機材料が同時に蒸発する処理ステップが含まれる。したがって、図４で示された実施例のように、２つの分配管及び対応する蒸発るつぼを、互いに隣接するように設けてもよい。したがって、材料源１００は、例えば、１種類より多くの有機材料が同時に蒸発する材料源アレイと呼ばれ得ることもある。本明細書に記載されているように、材料源アレイ自体は、２つ以上の有機材料のための材料源と呼ばれ得るが、例えば、材料源アレイは、３つの材料を蒸発させて１つの基板上に堆積させるように設けられ得る。
【００５７】
分配管の１つ又は複数の開口部は、例えば、シャワーヘッド又は別の蒸気分配システムにおいて設けられ得る１つ又は複数のノズルを含み得る。本明細書に記載された分配管に対して設けられるノズルは、図２ａから図２ｄに関連して記載されたノズルのような、本明細書の実施形態に記載されたノズルであり得る。本明細書では、分配管は、分配管の中の圧力が分配管の外（例えば、分配管が配置されている真空チャンバ）の圧力よりも、例えば少なくとも１桁ほど高くなるように、開口部を有する筐体を含むと理解することができる。一実施例では、分配管内の圧力は、約１０−２から１０−１ｍｂａｒの間、又は、約１０−２から約１０−３ｍｂａｒの間であり得る。幾つかの実施形態によると、真空チャンバ内の圧力は、約１０−５から約１０−７ｍｂａｒの間であり得る。
【００５８】
本明細書に記載された他の実施形態と組み合わせ得る本明細書に記載された実施形態によれば、分配管の回転は、少なくとも分配管が装着されている蒸発器制御ハウジングの回転によりもたらされ得る。追加的又は代替的に、分配管の回転は、ループ状トラックの湾曲部分に沿って材料源を移動させることによってもたらされ得る。典型的には、蒸発るつぼも蒸発器制御ハウジング上に装着される。したがって、材料源は、分配管と蒸発るつぼとを含み、その双方が、例えば共に回転可能に装着され得る。    
【００５９】
本明細書に記載された他の実施形態と組み合わせ得る幾つかの実施形態によれば、分配管又は蒸発管を三角形に設計してもよく、それにより、分配管の開口部又はノズルをできるだけ互いに接近させることが可能となる。例えば、２つ、３つ、又はさらにそれより多くの異なる有機材料の共蒸発の場合、ノズルをできるだけ互いに接近させることにより、種々の有機材料の改善された混合物の実現が可能となる。
【００６０】
本明細書に記載された実施形態によると、分配管の排気口側（開口部を含む分配管の側面）の幅は、断面の最大寸法の３０％以下である。これを考慮すると、分配管の開口部又は隣接する分配管のノズルは、より短い距離で設けられ得る。距離がより短いと、互いに隣り合って蒸発する有機材料の混合が改善される。さらに、追加的に又は代替的に、有機材料の混合の改善とはまた別に、実質的に平行に基板に面する壁の幅を縮小させることができる。したがって、実質的に平行に基板に面する壁の表面領域を減少させることができる。このアレンジメントにより、堆積エリア内で又は堆積エリアのわずか前方で支持されているマスク又は基板に供給される熱負荷が低減される。  
【００６１】
追加的に又は代替的に、材料源の三角形状という観点からすると、マスクに向かって放射状に広がるエリアが減少する。さらに、材料源からマスクへの熱伝達を減少させるために金属板のスタック（例えば、最大１０枚の金属板）を設けてもよい。本明細書に記載された他の実施形態と組み合わせ得る幾つかの実施形態によれば、熱シールド又は金属板は、ノズルのためのオリフィスを設けてもよく、少なくとも、源の前側、すなわち、基板に面する側面に取り付けてもよい。    
【００６２】
図４に示す実施形態では、移動可能な源を有する堆積装置が提供されているが、当業者であれば、上述の実施形態は、処理中に基板が移動する堆積装置にも適用され得ることを理解されよう。例えば、コーティングされる基板は、静止した材料源に沿って導かれ、且つ駆動され得る。  
【００６３】
本明細書に記載された他の実施形態と組み合わせ得る幾つかの実施形態によると、真空チャンバ内で１つ、２つ、又はそれより多くの蒸発した材料を基板上に堆積するための材料堆積アレンジメントが提供される。材料堆積アレンジメントは、基板上に堆積される第１の材料を蒸発させるように構成された第１の材料蒸発源又は第１の材料蒸発器を含む第１の材料源を含む。第１の材料源は、第１の分配管ハウジングを含む第１の分配管をさらに含んでおり、第１の分配管は、第１の材料蒸発器と流体連通しており、材料源は、第１の分配管ハウジング内に複数の第１のノズルをさらに含む。典型的に、複数の第１のノズルのうちの１つ又は複数のノズルは、開口部の長さ及び開口部のサイズを含み、複数の第１のノズルのうちの１つ又は複数のノズルの長さ対サイズの比率は、２：１以上である。材料堆積装置は、基板上に堆積される第２の材料を蒸発させるように構成された第２の材料蒸発器を含む第２の材料源を含む。第２の材料源は、第２の分配管ハウジングを含む第２の分配管をさらに含んでおり、第２の分配管は、第２の材料蒸発器と流体連通している。第２の材料源は、第２の分配管ハウジング内に複数の第２のノズルをさらに含む。本明細書に記載された実施形態によると、複数の第１のノズルのうちの第１のノズルと複数の第２のノズルのうちの第２のノズルとの間の距離は、３０ｍｍ以下である。幾つかの実施形態によると、第１の材料及び第２の材料は、同じ材料であり得る。  
【００６４】
本明細書に記載された他の実施形態と組み合わせ得るさらなる実施形態によると、真空チャンバ内で１つ、２つ、又はそれより多くの蒸発した材料を基板上に堆積するための材料堆積アレンジメントが提供される。材料堆積アレンジメントは、基板上に堆積される第１の材料を蒸発させるように構成された第１の材料蒸発器を含む第１の材料源を含む。第１の材料源は、第１の分配管ハウジングを含む第１の分配管をさらに含んでおり、第１の分配管は、第１の材料蒸発器と流体連通しており、さらに、第１の材料源は、第１の分配管ハウジング内に複数の第１のノズルを含んでおり、複数の第１のノズルのうちの１つ又は複数のノズルは、開口部の長さ及び開口部のサイズを含み、第１の分配方向を設けるように構成されている。複数の第１のノズルのうちの１つ又は複数のノズルの長さ対サイズの比率は、２：１以上である。材料堆積アレンジメントは、基板上に堆積される第２の材料を蒸発させるように構成された第２の材料蒸発器を含む第２の材料源と、第２の分配管とを含んでおり、第２の分配管は、第２の分配管ハウジングを含んでおり、第２の分配管は、第２の材料蒸発器と流体連通している。第２の材料源は、第２の分配管ハウジング内で複数の第２のノズルをさらに含んでおり、第２のノズルのうちの１つ又は複数は、第２の分配方向を設けるように構成される。本明細書に記載された実施形態によると、複数の第１のノズルのうちの１つ又は複数のノズルの第１の分配方向、及び複数の第２のノズルのうちの１つ又は複数のノズルの第２の分配方向は、互いに対して平行に配置されるか、又は平行配置から最大５°の偏差で配置される。幾つかの実施形態によると、第１の材料及び第２の材料は、同じ材料であり得る。
【００６５】
本明細書に記載された他の実施形態と組み合わせ得る幾つかの実施形態によると、真空チャンバ内で蒸発した材料を基板上に堆積するための分配管が提供される。分配管は、分配管ハウジング、及び分配管ハウジング内のノズルを含む。ノズルは、開口部の長さ及び開口部のサイズを含んでおり、ノズルの長さ対サイズの比率は、２：１以上である。さらに、ノズルは、蒸発した有機材料に対して化学的に不活性な材料を含む。一実施例では、蒸発した有機材料は、約１５０℃から約６５０℃の温度を有し得る。
【００６６】
本明細書に記載された実施形態は、特に、例えば、大面積基板上でのＯＬＥＤディスプレイ製造のための、有機材料の堆積に関する。幾つかの実施形態によれば、大面積基板、或いは、１つ又は複数の基板を支持するキャリア、すなわち、大面積キャリアは、少なくとも０．１７４ｍ２のサイズを有し得る。例えば、堆積装置は、約１．４ｍ２の基板（１．１ｍ×１．３ｍ）に対応するＧＥＮ５、約４．２９ｍ２の基板（１．９５ｍ×２．２ｍ）に対応するＧＥＮ７．５、約５．７ｍ２の基板（２．２ｍ×２．５ｍ）に対応するＧＥＮ８．５、又はさらに約８．７ｍ２の基板（２．８５ｍ×３．０５ｍ）に対応するＧＥＮ１０の基板などの大面積基板を処理するように適合され得る。ＧＥＮ１１及びＧＥＮ１２のようなさらに次の世代、並びにそれに相当する基板面積を同様に実装し得る。本明細書に記載された他の実施形態と組み合わせ得る典型的な実施形態によれば、基板の厚さは、０．１から１．８ｍｍであり得、この基板のための保持アレンジメントは、このような基板の厚さに適合され得る。しかしながら、具体的には、基板の厚さは、約０．９ｍｍ以下（０．５ｍｍ又は０，３ｍｍなど）であり得、保持アレンジメントは、このような基板の厚さに適合される。典型的には、基板は、材料堆積に適した任意の材料から作られてもよい。例えば、基板は、ガラス（例えば、ソーダ石灰ガラス、ホウケイ酸ガラスなど）、金属、ポリマー、セラミック、複合材料、炭素繊維材料、並びに堆積プロセスによってコーティングできる任意の他の材料及び材料の組合せからなる群から選択された材料から作られてもよい。
【００６７】
本明細書に記載された実施形態によると、材料堆積アレンジメントを設けるための方法が提供される。材料堆積アレンジメントは、上述の実施形態に関して説明される材料堆積アレンジメントであってもよく、且つ／又は、本明細書に記載された実施形態に係る堆積装置において使用され得る材料堆積アレンジメントであってもよい。本明細書に記載された実施形態に係る方法４００のフロー図は、図５で確認することができる。この方法は、ボックス４１０では、特に真空堆積チャンバ内で、基板上に堆積される材料を蒸発させるための材料源を設けることを含む。  
【００６８】
幾つかの実施形態によると、設けられた材料源は、例えば、図１又は図３に関連して説明された材料源であり得る。例えば、材料源は、有機材料を蒸発させるための源であり得る。一実施例では、材料源は、約１５０℃から約５００℃の蒸発温度を有する材料を蒸発させるように適合され得る。幾つかの実施形態では、材料源は、るつぼであってもよい。          
【００６９】
ブロック４２０では、方法４００は、材料源と分配管及びノズルとの間の流体連通を設けるように、分配管及びノズルを蒸発源に流体接続することを含む。本明細書に記載された実施形態によると、ノズルは、２１Ｗ／ｍＫよりも大きい熱伝導率値を有する第１のノズル材料を含む。幾つかの実施形態では、ノズルは、第１のノズル材料から作られてもよい。一実施例では、ノズルは、例えば、ノズル開口部又はノズル通路を第２のノズル材料で内側をコーティングすることにより、第２のノズル材料で内側がコーティングされる。幾つかの実施形態によると、第２のノズル材料は、蒸発した有機材料に対して化学的に不活性な材料であり、例えば、典型的に、約１００℃から６５０℃の間、より典型的には、約１００℃から約５００℃の間の温度を有する有機材料であり得る。  
【００７０】
幾つかの実施形態によると、分配管は、上記の実施形態、具体的には、図１から３に関連して説明された実施形態において説明された分配管であり得る。幾つかの実施形態では、分配管は、例えば、空間を最適な方法で使用し得る三角断面を有し得る。幾つかの実施形態では、分配管のノズルは、図２ａから図２ｄに関連して説明されたノズルであり得る。        
【００７１】
幾つかの実施形態では、この方法は、分配管を、基板上に堆積される材料の蒸発温度以上に加熱することを含む。分配管の加熱は、加熱デバイスによって実行され得る。一実施例では、加熱デバイスの性能は、例えば、図１ａから図１ｃに関連して以上で説明されたように、熱シールドによって支持される。  
【００７２】
さらに、線形の分配管、本明細書に記載された実施形態に係る材料堆積アレンジメント、及び本明細書に記載された実施形態に係る材料堆積アレンジメントを有する堆積装置のうちの少なくとも１つの使用が説明される。      
【００７３】
これまでの記述は、種々の実施形態を対象としているが、その基本的な範囲から逸脱しなければ、他の実施形態及びさらなる実施形態を考案してもよく、その範囲は、下記の特許請求の範囲によって定められる。
また、本願は以下に記載する態様を含む。
（態様１）
真空チャンバ（１１０）内で蒸発した材料を基板（１２１）上に堆積するための線形の分配管（１０６）であって、
第１の方向（１３６）に沿って延在している分配管ハウジング（１１６）であって、前記第１の方向が前記線形の分配管（１０６）の線形の延在をもたらし、前記分配管ハウジング（１１６）が第１のハウジング材料を含む、分配管ハウジング（１１６）と、
前記分配管ハウジング（１１６）内の複数の開口部であって、前記線形の分配管の前記線形の延在に沿って分配される複数の開口部と、
前記線形の分配管（１０６）のための複数のノズル（７１２）であって、前記複数のノズルが、前記真空チャンバ（１１０）内で前記蒸発した材料を導くように構成され、前記ノズルが、前記第１のハウジング材料よりも大きな熱伝導率及び／又は２１Ｗ／ｍＫよりも大きい熱伝導率を有する第１のノズル材料を含む、複数のノズル（７１２）と
を備えている線形の分配管（１０６）。
（態様２）
前記ノズル（７１２）が、Ｃｕ、Ｔａ、Ｔｉ、Ｎｂ、ＤＬＣ、及び黒鉛のうちの少なくとも１つを含む、態様１に記載の線形の分配管。  
（態様３）
前記ノズル（７１２）が、前記蒸発した材料を前記ノズルを通して導くための通路（２０３）と、少なくとも前記通路（２０３）の表面上にあるコーティングとを含む、態様１又は２に記載の線形の分配管。  
（態様４）
前記通路（２０３）の前記表面が、前記第１のノズル材料又は蒸発した有機材料に対して化学的に不活性な第２のノズル材料（２０８）でコーティングされている、態様３に記載の線形の分配管。
（態様５）
前記ノズル（７１２）の前記通路（２０３）が、Ｔａ、Ｎｂ、Ｔｉ、ＤＬＣ、及び黒鉛のうちの少なくとも１つでコーティングされている、態様４に記載の線形の分配管。  
（態様６）
前記ノズル（７１２）が銅を含む、態様１から５のいずれか一項に記載の線形の分配管。
（態様７）
前記ノズル（７１２）が、前記分配管（１０６）に対して螺合可能であるように適合されている、態様１から６のいずれか一項に記載の線形の分配管。
（態様８）
前記ノズル（７１２）が、前記蒸発した材料を前記ノズルを通して導くための通路（２０３）を備え、且つ蒸発した材料のプルームを形成する前記通路の形状を提供しており、前記ノズル（７１２）が、ｃｏｓｎのようなプロファイルを有するプルームを形成するように設計され、ここで、ｎ≧４である、態様１から７のいずれか一項に記載の線形の分配管。
（態様９）
真空チャンバ（１１０）内で材料を基板（１２１）上に堆積するための材料堆積アレンジメント（１００）であって、
蒸発させられて前記基板（１２１）上に堆積される前記材料を供給するための蒸発源（１０２）と、
蒸発した前記材料を分配管（１０６）に供給する前記蒸発源（１０２）と流体連通している前記分配管（１０６）と、
前記真空チャンバ（１１０）内で、蒸発した前記材料を導くためのノズル（７１２）であって、２１Ｗ／ｍＫよりも大きい熱伝導率を有する第１のノズル材料を含むノズル（７１２）と
を備えている材料堆積アレンジメント（１００）。  
（態様１０）
前記蒸発源（１０２）が、有機材料を供給するための蒸発源である、態様９に記載の材料堆積アレンジメント。
（態様１１）  
前記分配管（１０６）を、堆積される前記材料の蒸発温度以上に加熱するための加熱要素（７２６）をさらに備えている、態様９又は１０に記載の材料堆積アレンジメント。  
（態様１２）
前記分配管（１０６）が、態様１から８のいずれか一項に記載の線形の分配管であり、前記ノズル（７１２）が、前記線形の分配管の複数のノズルのうちのノズルである、態様９から１１のいずれか一項に記載の材料堆積アレンジメント。  
（態様１３）
真空堆積装置であって、
真空チャンバ（１１０）と、
態様９から１２のいずれか一項に記載の材料堆積アレンジメント（１００）であって、前記蒸発源（１０２）が、有機材料のための蒸発るつぼであり、前記材料堆積アレンジメント（１００）の前記分配管（１０６）が、前記蒸発るつぼからの蒸発した材料を前記真空チャンバ（１１０）の中へと導くために、前記蒸発るつぼに接続されている、材料堆積アレンジメント（１００）と
を備えており、
前記ノズル（７１２）が、蒸発した有機材料に対して化学的に不活性な第２のノズル材料（２０８）を含み、且つ
前記材料堆積アレンジメント（１００）の前記ノズル（７１２）が、前記真空チャンバ（１１０）内で、前記蒸発した材料を基板（１２１）に向けて方向付けるように配置されている、真空堆積装置。
（態様１４）
真空堆積装置のための材料堆積アレンジメント（１００）を設けるための方法であって、
基板（１２１）上に堆積される材料を蒸発させるための蒸発源（１０２）を設けることと、
前記蒸発源（１０２）と分配管（１０６）及びノズル（７１２）との間の流体連通を設けるように、前記分配管（１０６）及び前記ノズル（７１２）を前記蒸発源（１０２）に流体接続することであって、前記ノズル（７１２）が、２１Ｗ／ｍＫよりも大きい熱伝導率値を有する第１のノズル材料を含む、流体接続することと
を含む方法。  
（態様１５）
前記分配管（１０６）を、前記基板（１２１）上に堆積される前記材料の蒸発温度以上に加熱することをさらに含む、態様１４に記載の方法。
【図１ａ】
0006594986.tif 000002
【図１ｂ】
0006594986.tif 000003
【図１ｃ】
0006594986.tif 000004
【図２ａ】
0006594986.tif 000005
【図２ｂ】
0006594986.tif 000006
【図２ｃ】
0006594986.tif 000007
【図２ｄ】
0006594986.tif 000008
【図３ａ】
0006594986.tif 000009
【図３ｂ】
0006594986.tif 000010
【図４】
0006594986.tif 000011
【図５】
0006594986.tif 000012